【事件の表示】
　特許第２８９３１７１号「建築物工事用安全ネット吊り具並びに建築物工事用安全ネット付設具」の請求項１ないし５に係る特許に対する特許異議の申立てについて、次のとおり決定する。
【結　論】
　訂正を認める。
　特許第２８９３１７１号の請求項１ないし５に係る特許を維持する。
【理　由】
１．手続きの経緯
　特許第２８９３１７１号の請求項１ないし５に係る発明の特許は、平成８年１１月１日に特許出願され、平成１１年３月５日にその特許の設定登録がなされ、その後、平成１１年１１月１５日に株式会社エバー商会より特許異議の申立てがなされ、取消理由が通知され、その指定期間内である平成１２年１２月４日に訂正請求がなされたものである。
２．訂正の適否についての判断
２−１　訂正請求の訂正の内容
　特許権者が求めている訂正は、明細書の特許請求の範囲の減縮を目的とするものであって、その訂正の内容は次のとおりである。
訂正事項：特許請求の範囲の請求項１ないし５の
「【請求項１】基体を桁などの横設材に上方から被嵌し得る形状に構成し、この基体にネットを係止するフック部を設けたことを特徴とする建築物工事用安全ネット吊り具。
【請求項２】基体を桁などの横設角材に上方から被嵌し得るコ字板形状に構成し、この基体の側部にネットを係止するフック部を設けたことを特徴とする請求項１記載の建築物工事用安全ネット吊り具。
【請求項３】前記フック部を、前記基体の両側部に夫々設けたことを特徴とする請求項１，２のいずれか１項に記載の建築物工事用安全ネット吊り具。
【請求項４】前記請求項１〜３のいずれか１項に記載の建築物工事用安全ネット吊り具と、長尺棒体の先端部に前記ネットを係止する係止部を設けた持ち上げ棒体とから成ることを特徴とする建築物工事用安全ネット付設具。
【請求項５】前記請求項１〜３のいずれか１項に記載の建築物工事用安全ネット吊り具と、長尺棒体の先端部にこの建築物工事用安全ネット吊り具を係止する係止部を設けた持ち上げ棒体とから成ることを特徴とする建築物工事用安全ネット付設具若しくは請求項４記載の建築物工事用安全ネット付設具。」を、
 「【請求項１】基体を桁などの横設材に上方から被嵌し得る形状に構成し、この基体にネットを係止するフック部を設け、前記フック部は、金属杆をコイル状に折曲して両端部が夫々上方向，下方向に向き、両端部が夫々相反する方向へ突出するように構成したことを特徴とする建築物工事用安全ネット吊り具。
【請求項２】基体を桁などの横設角材に上方から被嵌し得るコ字板形状に構成し、この基体の側部にネットを係止する前記フック部を設けたことを特徴とする請求項１記載の建築物工事用安全ネット吊り具。
【請求項３】前記フック部を、前記基体の両側部に夫々設けたことを特徴とする請求項１，２のいずれか１項に記載の建築物工事用安全ネット吊り具。
【請求項４】前記請求項１〜３のいずれか１項に記載の建築物工事用安全ネット吊り具と、長尺棒体の先端部に前記ネットを係止する係止部を設けた持ち上げ棒体とから成ることを特徴とする建築物工事用安全ネット付設具。
【請求項５】前記請求項１〜３のいずれか１項に記載の建築物工事用安全ネット吊り具と、長尺棒体の先端部にこの建築物工事用安全ネット吊り具を係止する係止部を設けた持ち上げ棒体とから成ることを特徴とする建築物工事用安全ネット付設具若しくは請求項４記載の建築物工事用安全ネット付設具。」 と訂正する。
２−２　訂正の目的の適否、新規事項の有無及び拡張・変更の存否
（１）上記訂正事項は、特許請求の範囲の減縮を目的とするものであるから、特許法第１２０条の４第２項のただし書きの要件を満たすものと認められる。
（２）また、上記訂正事項に関連する記載として、願書に添付した明細書の発明の詳細な説明の段落【００３０】には、「フック部４は、図１に示すように短い金属杆をコイル状にねじり折曲して両端部が夫々相反する方向へ突出するように構成したもので、このフック部４を両先端部が上下方向を向く状態にして基体１の両外側部に溶接固定している。」と記載されており、上記訂正事項は、願書に添付した明細書に記載された事項の範囲内であり、また、実質上特許請求の範囲を拡張し、変更するものでもないことから、特許法第１２０条の４第３項で準用する特許法第１２６条第２項及び第３項の要件を満たすものであると認められる。
２−３　独立特許要件
（１）訂正明細書の請求項１ないし５に係る発明（以下、本件訂正発明１ないし５）は、その特許請求の範囲の請求項１ないし５に記載された事項により特定される以下のとおりのものである。
「【請求項１】基体を桁などの横設材に上方から被嵌し得る形状に構成し、この基体にネットを係止するフック部を設け、前記フック部は、金属杆をコイル状に折曲して両端部が夫々上方向，下方向に向き、両端部が夫々相反する方向へ突出するように構成したことを特徴とする建築物工事用安全ネット吊り具。
【請求項２】基体を桁などの横設角材に上方から被嵌し得るコ字板形状に構成し、この基体の側部にネットを係止する前記フック部を設けたことを特徴とする請求項１記載の建築物工事用安全ネット吊り具。
【請求項３】前記フック部を、前記基体の両側部に夫々設けたことを特徴とする請求項１，２のいずれか１項に記載の建築物工事用安全ネット吊り具。
【請求項４】前記請求項１〜３のいずれか１項に記載の建築物工事用安全ネット吊り具と、長尺棒体の先端部に前記ネットを係止する係止部を設けた持ち上げ棒体とから成ることを特徴とする建築物工事用安全ネット付設具。
【請求項５】前記請求項１〜３のいずれか１項に記載の建築物工事用安全ネット吊り具と、長尺棒体の先端部にこの建築物工事用安全ネット吊り具を係止する係止部を設けた持ち上げ棒体とから成ることを特徴とする建築物工事用安全ネット付設具若しくは請求項４記載の建築物工事用安全ネット付設具。」
（２）取消理由通知の引用刊行物および異議申立人の提出した各甲号証の記載事項
　刊行物１：実公平７−６３７５号公報（異議申立人の提出した甲第１号証）
　刊行物２：特開平８−１３８１１号公報
　刊行物３：特開平８−１６５８０１号公報（異議申立人の提出した甲第２号証）
Ａ．先の取消理由通知において引用した刊行物１には、主として、木造家屋の建方作業中に用いる安全ネットの止め具に関する発明が記載されており、
ａ．「横梁の断面に合致する逆チャンネル型の支持部材の両側に、安全ネットの縁綱を係合させるフックを上向きに装着したことを特徴とする安全ネットの止め具。」（実用新案登録請求の範囲請求項１）、
ｂ．「該支持部材１の両側外面には、溶接などの手段で、上向きにしたフック２，２が装着してある。しかして、上記支持部材１を第３図に示すように、既に組込まれた、例えば一階の天井梁を構成横梁Ａに上方から被嵌し、横梁Ａ，Ａ間の間口および奥行きにあわせた大きさの安全ネット３における縁綱４を上記フック２に係合して、各横梁Ａ，Ａ間に上記安全ネット３を張設するのである。」（第２頁第３欄第１９〜２６行）、
と記載されており、第１ないし４図には、断面矩形の横梁Ａに装着されたコ字型形状の支持部材を有する止め具が記載されている。
　したがって、刊行物１には、以下の発明が記載されている。
　支持金具を断面矩形の横梁に上方から被嵌できるコ字型形状に構成し、この支持金具の両側に安全ネットの縁綱を係合するための上向きにしたフックを装着した安全ネットの止め具
Ｂ．先の取消理由通知において引用した刊行物２には、建築用安全ネットの取付方法及びこの方法に使用される取付治具並びに建築用安全ネットに関する発明が記載されており、
ａ．「【請求項１】線状体が略コ字状に折曲され端部には折り返し部が形成されてなる取付金具を、外形形状が細長い棒状に成形され一端に形成された取付金具把持用の溝部を備えてなる取付治具を用いて梁に複数取り付け、次いで上記複数の取付金具のそれぞれに形成された掛止部に該建築用安全ネットを掛け止めすることを特徴とする建築用安全ネットの取付方法。
【請求項２】外形形状が棒状に成形されてなり、一端には、線状体が略コ字状に折曲され端部には折り返し部が形成されてなる取付金具の折り返し部又はその近傍が挿入支持される一方の溝部が形成され、他端には、建築用安全ネットの周縁ロープが掛止される他方の溝部が形成されてなることを特徴とする建築用安全ネットの取付方法に使用される取付治具。」（特許請求の範囲請求項１、２）
ｂ．「上述した第１の発明に係る建築用安全ネットの取付方法によれば、取付金具を梁に掛止させる作業及びこの取付治具に建築用安全ネットを掛止させる作業は、何れも外形形状が棒状となされた取付治具により行われる。したがって、作業者は、建築用安全ネットの取付作業を床上等全て安全な場所で行うことができるとともに、該建築用安全ネットの取り外し作業も極めて簡単に行うことができる。また、上述した第２の発明に係る取付治具は外形形状が棒状に成形されているとともに、一端には取付金具を把持する一方の溝部が形成されていることから、低い場所から梁に対して簡単に掛止させることができ、また、他端に形成された他方の溝部により建築用安全ネットを上記取付金具に対して簡単に掛止させることができる。」（段落【０００６】）、
ｃ．「上記取付金具１は、鉄等の金属材料からなる線状体の中途部２か所がコ字状に折曲されてなるコ字状部１ａと、このコ字状部の両端を折り返して形成されてなり後述する建築用安全ネット３の周端に形成された周縁ロープ３ａが掛止される一方及び他方の折り返し部１ｂ，１ｃとから構成されている。」（段落【０００９】）、
と図面とともに記載されている。
Ｃ．刊行物３には、建築現場用安全ネットの吊り金具に関する発明が記載されており、
ａ．「【請求項１】建物を建築する現場で使用される、作業員の墜落防止用のネットを張設するためにネットを所定位置に保持する吊り金具であって、剛性を有する鉄あるいは鋳物などの金属からなり二本の脚部を有し、梁を跨ぐような門形を形成してなり、少なくとも前記脚部の一方の先端を延長した部分で前記ロープを受容する幅を有するＵ字状に折り返した折り返し片を備え、前記脚部の一方と折り返し片とで形成されるＵ字状部の開口部に、収納されたロープの脱出を阻止するために前記開口部を閉鎖するばね手段を更に備えたことを特徴とする吊り金具。
【請求項２】ばね手段がＵ字状部の脚部または折り返し片のいずれかに回動自在に軸支され、その最長部がＵ字状部の開口さしわたし寸法よりわずかに大きいばね性リングからなると共に、前記軸支部分に対向する折り返し片または脚部にばね性リングが圧縮嵌合するくぼみを設けたことを特徴とする請求項１の吊り金具。
【請求項３】　ばね性リングが円形リングであることを特徴とする請求項２の吊り金具。
【請求項４】くぼみはＵ字状部の開口側に前記円形リングの上方への回動を阻止する突起と、Ｕ字状部の底部に向けて該くぼみに連続した、ばね性リングが滑動する傾斜面とを備えたことを特徴とする請求項２の吊り金具。
【請求項５】前記ばね手段が脚部または折り返し片に回動自在に軸支され、前記突起に常時ばね付勢されて衝合して居る閉鎖レバーからなることを特徴とする請求項１の吊り金具。
【請求項６】ばね手段を有するＵ字状部を二本の脚部に互いに対称に設けたことを特徴とする請求項１の吊り金具。」（特許請求の範囲）、
ｂ．「５は脚部３を延長してそれと平行になる様にＵ字状に折曲し、その立ち上がり片６によって形成されるＵ字状の吊りロープ収納部である。」（段落【００１４】）、
と図面とともに記載されている。
（３）対比・判断
（３−１）　本件訂正発明１について
　本件訂正発明１と刊行物１に記載された発明とを対比すると、刊行物１に記載された発明の「支持金具」、「安全ネット」、「フック」および「安全ネットの止め具」が、本件訂正発明１の「基体」、「ネット」、「フック部」及び「建築物工事用安全ネット吊り具」にそれぞれ相当するから、両者は、基体を桁などの横設材に上方から被嵌し得る形状に構成し、この基体にネットを係止するフック部を設けた建築物工事用安全ネット吊り具である点で一致し、本件訂正発明１のフック部は金属杆をコイル状に折曲して両端部が夫々上方向，下方向に向き、両端部が夫々相反する方向へ突出するように構成されているのに対して、刊行物１に記載された発明のフックはそのように構成されていない点で相違している。
　そして、刊行物２、３をみても、本件訂正発明１のフック部に対応する刊行物２に記載された発明の「折り返し部１ｂ」および刊行物３に記載された発明の「ロープ収納部５」は上記構成を有するものではなく、結局、刊行物１ないし３には、本件訂正発明１の上記構成について、記載も示唆もされていない。
　したがって、本件訂正発明１は、刊行物１ないし３より、当業者が容易に発明できたものとは認められず、特許法第２９条第２項には該当しない。
（３−２）　本件訂正発明２ないし５について
　本件訂正発明２は本件訂正発明１を引用したものであり、本件訂正発明３は、本件訂正発明１又は２を引用したものであり、本件訂正発明４は、本件訂正発明１ないし３のいずれか１つを引用したものであり、本件訂正発明５は、本件訂正発明１ないし３のいずれか１つもしくは本件訂正発明４を引用したものであるから、上記（３−１）に示したのと同様の理由により、本件訂正発明２ないし５は、刊行物１ないし３より、当業者が容易に発明できたものとは認められず、特許法第２９条第２項には該当しない。
（４）さらに、本件訂正発明１ないし５には、他に特許出願の際独立して特許を受けることができないとする理由もないことから、特許法第１２６条第４項の要件を満たすと認められる。
２−４　むすび
　以上のとおりであるから、訂正請求書による訂正請求は適法なものと認める。
３．特許異議の申立てについて
　申立人株式会社エバー商会は、甲第１号証（上記刊行物１）、甲第２号証（上記刊行物３）を提出して、特許第２８９３１７１号の請求項１ないし５に係る発明は、甲第１および２号証に記載された発明から当業者が容易になし得たものであるから、特許法第２９条第２項の規定により特許を受けることができないものである旨主張している。
　しかしながら、上記異議申立に係る発明は、訂正請求により特許請求の範囲が訂正され、かつ、上記２．で検討したように、該訂正は適法であるから、結果として異なるものとなった。そして、訂正明細書の請求項１ないし５に係る発明は、上記甲各号証に記載された発明から当業者が容易に発明できたものとすることはできず、特許法第２９条第２項に該当しないことは、上記２−３に記載したとおりである。
　また、他に訂正後の特許第２８９３１７１号の請求項１ないし５に係る発明を取り消すべき理由を発見しない。
４．むすび
　よって、結論のとおり決定する。
【異議決定日】
平成１２年１２月２８日（２０００．１２．２８）
【訂正の要旨】
訂正の要旨
訂正事項：特許請求の範囲の請求項１ないし５の
「【請求項１】基体を桁などの横設材に上方から被嵌し得る形状に構成し、この基体にネットを係止するフック部を設けたことを特徴とする建築物工事用安全ネット吊り具。
　【請求項２】基体を桁などの横設角材に上方から被嵌し得るコ字板形状に構成し、この基体の側部にネットを係止するフック部を設けたことを特徴とする請求項１記載の建築物工事用安全ネット吊り具。
　【請求項３】前記フック部を、前記基体の両側部に夫々設けたことを特徴とする請求項１，２のし、ずれか１項に記載の建築物工事用安全ネット吊り具。
　【請求項４】前記請求項１〜３のし、ずれか１項に記載の建築物工事用安全ネット吊り具と、長尺棒体の先端部に前記ネットを係止する係止部を設けた持ち上げ棒体とから成ることを特徴とする建築物工事用安全ネット付設具。
　【請求項５】前記請求項１〜３のし、ずれか１項に記載の建築物工事用安全ネット吊り具と、長尺棒体の先端部にこの建築物工事用安全ネット吊り具を係止する係止部を設けた持ち上げ棒体とから成ることを特徴とする建築物工事用安全ネット付設具若しくは請求項４記載の建築物工事用安全ネット付設具。」を、
「【請求項１】基体を桁などの横設材に上方から被嵌し得る形状に構成し、この基体にネットを係止するフック部を設け、前記フック部は、金属杵をコイル状に折曲して両端部が夫々上方向，下方向に向き、両端部が夫々相反する方向へ突出するように構成したことを特徴とする建築物工事用安全ネット吊り具。
　【請求項２】基体を桁などの横設角材に上方から被嵌し得るコ字板形状に構成し、この基体の側部にネットを係止する前記フック部を設けたことを特徴とする請求項１記載の建築物工事用安全ネット吊り具。
　【請求項３】前記フック部を、前記基体の両側部に夫々設けたことを特徴とする請求項１，２のいずれか１項に記載の建築物工事用安全ネット吊り具。
　【請求項４】前記請求項１〜３のいずれか１項に記載の建築物工事用安全ネット吊り具と、長尺棒体の先端部に前記ネットを係止する係止部を設けた持ち上げ棒体とから成ることを特徴とする建築物工事用安全ネット付設具。
　【請求項５】前記請求項１〜３のいずれか１項に記載の建築物工事用安全ネット吊り具と、長尺棒体の先端部にこの建築物工事用安全ネット吊り具を係止する係止部を設けた持ち上げ棒体とから成ることを特徴とする建築物工事用安全ネット付設具若しくは請求項４記載の建築物工事用安全ネット付設具。」
と訂正する。
（５４）【発明の名称】
建築物工事用安全ネット吊り具並びに建築物工事用安全ネット付設具
（５７）【特許請求の範囲】
　【請求項１】　基体を桁などの横設材に上方から被嵌し得る形状に構成し、この基体にネットを係止するフック部を設け
、前記フック部は、金属杆をコイル状に折曲して両端部が夫々上方向，下方向に向き、両端部が夫々相反する方向へ突出するように構成した
　【請求項２】　基体を桁などの横設角材に上方から被嵌し得るコ字板形状に構成し、この基体の側部にネットを係止する
前記
　【請求項３】　前記フック部を、前記基体の両側部に夫々設けたことを特徴とする請求項１，２のいずれか１項に記載の建築物工事用安全ネット吊り具。
　【請求項４】　前記請求項１〜３のいずれか１項に記載の建築物工事用安全ネット吊り具と、長尺棒体の先端部に前記ネットを係止する係止部を設けた持ち上げ棒体とから成ることを特徴とする建築物工事用安全ネット付設具。
　【請求項５】　前記請求項１〜３のいずれか１項に記載の建築物工事用安全ネット吊り具と、長尺棒体の先端部にこの建築物工事用安全ネット吊り具を係止する係止部を設けた持ち上げ棒体とから成ることを特徴とする建築物工事用安全ネット付設具若しくは請求項４記載の建築物工事用安全ネット付設具。
【発明の詳細な説明】
　【０００１】
　【発明の属する技術分野】
　本発明は、建築物工事の際に作業者や作業用工具などの落下を防止する安全ネットを、構造物の空間部に吊り下げ状態に張設するための建築物工事用安全ネット吊り具並びに建築物工事用安全ネット付設具に関するものである。
　【０００２】
　【従来の技術及び発明が解決しようとする課題】
　建築物工事の際には、軸組して成る構造物の空間部にネットを張り、このネットにより作業者や作業用工具などが落下することを防いでいる。
　【０００３】
　従来、このネットを張設するための吊り金具は、取付部に挟持固定する固定部を設けた金具本体に、ネットを係止し得るフック部を設けた構成で、この固定部は、締付ボルトとこの締付ボルトを受ける受あご部とからなる締付挟持構造の締付固定部としたものが一般的である。
　【０００４】
　このネット吊り金具の使用方法について説明すると、構造物内のネットを張設したい空間部に隣接する全ての桁（例えばＨ鋼）に本金具の締付固定部を締め付け固定することにより複数固定し、この固定した各金具のフック部にネットの網縁を係止してこの構造物空間部内にネットを吊り下げ状態に張設するものであった。
　【０００５】
　しかしながら、このような従来のネット吊り具は、例えばＨ鋼のフランジ縁に締付固定部を締め付け固定して使用するもので、この締付ボルトと受あご部とによる挟持締付固定構造で十分に強固な固定作用を発揮するものであるが、ネットに作業者や作業用工具などが落下して大きな力が加わると、万一この締付固定部が位置ずれしてしまう恐れがある。
　【０００６】
　本発明は、この欠点を解決でき、更に従来品に比して横設材に対する取り付け・取り外し作業性が著しく向上する非常に簡易な構造の画期的な建築物工事用安全ネット吊り具並びに建築物工事用安全ネット付設具を提供するものである。
　【０００７】
　【課題を解決するための手段】
　添付図面を参照して本発明の要旨を説明する。
　【０００８】
　基体１を桁などの横設材２に上方から被嵌し得る形状に構成し、この基体１にネット３を係止するフック部４を設け
、前記フック部４は、金属杆をコイル状に折曲して両端部が夫々上方向，下方向に向き、両端部が夫々相反する方向へ突出するように構成した
　【０００９】
　また、基体１を桁などの横設角材２に上方から被嵌し得るコ字板形状に構成し、この基体１の側部にネット３を係止する
前記
　【００１０】
　また、前記フック部４を、前記基体１の両側部に夫々設けたことを特徴とする請求項１，２のいずれか１項に記載の建築物工事用安全ネット吊り具に係るものである。
　【００１１】
　また、前記請求項１〜３のいずれか１項に記載の建築物工事用安全ネット吊り具と、長尺棒体５の先端部に前記ネット３を係止する係止部６を設けた持ち上げ棒体とから成ることを特徴とする建築物工事用安全ネット付設具に係るものである。
　【００１２】
　また、前記請求項１〜３のいずれか１項に記載の建築物工事用安全ネット吊り具と、長尺棒体５の先端部にこの建築物工事用安全ネット吊り具を係止する係止部７を設けた持ち上げ棒体とから成ることを特徴とする建築物工事用安全ネット付設具若しくは請求項４記載の建築物工事用安全ネット付設具に係るものである。
　【００１３】
　【発明の実施の形態】
　好適と考える本発明の実施の形態（発明をどのように実施するか）を、図面に基づいてその作用効果を示して簡単に説明する。
　【００１４】
　構造物内のネット３を張設したい空間部に隣接する全ての桁などの横設材２に適当数の基体１を上方から被嵌固定して複数配置し、この各基体１のフック部４にネット３の網縁を係止して図４に示すようにこの横設材２に囲まれた構造物内の空間部にネット３を吊り下げ状態に張設する。
　【００１５】
　この際、基体１を横設材２に上方から被嵌し得る形状に形成しているから、この基体１は単に横設材２に上から嵌め込むだけで横設材２に固定でき、また、この被嵌構造のためネット３をフック部４に係止すると、このネット３の重さにより基体１の係止方向に力が作用して横設材２に対する係止が強固なものとなるし、ネット３上に作業者や作業用工具などが落下しても同様に基体１の係止方向に力が作用するため、横設材２から基体１が外れてしまうようなことがない。
　【００１６】
　また、請求項２記載の発明においては、基体１を桁などの横設角材２に上方から被嵌し得るコ字板形状に構成しているから、基体１を単に横設角材２に上から嵌め込むだけで、この基体１が横設角材２に対して確実に回り止め固定されるため基体１の横設角材２に対する固定強度が一層強固なものとなり、しかもこの基体１の側部にフック部４を設けているから、フック部４が基体１を横設角材２に被嵌する際の邪魔になったりすることがなく、基体１を横設角材２に固定する際の作業性が一層良好となる。
　【００１７】
　また、請求項３記載の発明においては、基体１の両側部に夫々フック部４を設けているから、横設材２に基体１を被嵌すると、この横設材２の両側にフック部４を有するため、図４に示すように一体の基体１で横設材２の両側の空間部にネット３を係止できることとなる。
　【００１８】
　また、請求項４記載の発明においては、持ち上げ棒体の先端の係止部６にネット３の網縁を係止し、作業者が持ち上げ棒体を持ち上げてこのネット３を横設材２に被嵌した建築物工事用ネット吊り具のフック部４に係止する。
　【００１９】
　従って、ネット３をフック部４に係止する際に、作業者が横設材２の存する高さ位置にまで上っていかずとも良いから、安全に作業を行えることとなる。
　【００２０】
　また、同様にして係止部６にネット３の網縁を係止し、フック部４からネット３を取り外しすることもできるため、このネット３の取り外し作業も安全に行えることとなる。
　【００２１】
　また、請求項５記載の発明においては、持ち上げ棒体の先端の係止部７に請求項１〜３のいずれか１項に記載の建築物工事用ネット吊り具を係止し、作業者が持ち上げ棒体を持ち上げて横設材２にこの建築物工事用ネット吊り具を上方から被嵌固定する。続いて、持ち上げ棒体の先端の係止部６にネット３の網縁を係止し、作業者が持ち上げ棒体を持ち上げてこのネット３を横設材２に被嵌した建築物工事用ネット吊り具のフック部４に係止する。
　【００２２】
　従って、横設材２に建築物工事用ネット吊り具を被嵌固定する際並びにネット３をフック部４に係止する際に、作業者がまだネット３を張っていない横設材２の存する高さ位置にまで上っていかずとも良いから、一層安全に作業を行えることとなる。
　【００２３】
　従って、横設材２に建築物工事用ネット吊り具を被嵌固定する際並びにネット３をフック部４に係止する際に、作業者がまだネット３を張っていない横設材２の存する高さ位置にまで上っていかずとも良いから、一層安全に作業を行えることとなる。
　【００２４】
　また、同様にして係止部７に請求項１〜３のいずれか１項に記載の建築物工事用ネット吊り具を係止し、横設材２から建築物工事用ネット吊り具を取り外しすることもできるし、係止部６にネット３の網縁を係止し、フック部４からネット３を取り外しすることもできるため、この建築物工事用ネット吊り具並びにネット３の取り外し作業も安全に行えることとなる。
　【００２５】
　また、特に係止部６と係止部７とを一本の持ち上げ棒体に設ければ、上記作業を一本の持ち上げ棒体で行うことができることとなるため、非常に作業性に秀れることとなる。
　【００２６】
　【実施例】
　本発明の具体的な実施例について図面に基づいて説明する。
　【００２７】
　本実施例は、基体１を桁などの横設材２に上方から被嵌し得る形状に構成し、この基体１にネット３を係止するフック部４を設けた建築物工事用安全ネット吊り具と、長尺棒体５の先端部に前記ネット３を係止する係止部６と前記建築物工事用安全ネット吊り具を係止する係止部７とを設けた持ち上げ棒体とから成る建築物工事用安全ネット付設具に係るものである。
　【００２８】
　建築物工事用安全ネット吊り具について説明する。
　【００２９】
　基体１は、図１に示すように金属製長方形板を横設材２としての角材２に上方から被嵌し得るコ字板形状に折曲形成して構成している。
　【００３０】
　フック部４は、図１に示すように短い金属杵をコイル状にねじり折曲して両端部が夫々相反する方向へ突出するように構成したもので、このフック部４を両先端部が上下方向を向く状態にして基体１の両外側部に溶接固定している。従って、このフック部４の上方を向いている先端部にネット３の網縁を上から引っ掛けるだけでフック部４にネット３を係止でき、逆の作業によりネット３を外すことができるように構成している。このフック部４構造を採用したことにより、上記のようにしてネット３の係脱作業を容易に行うことができる。
　【００３１】
　従って、本実施例においては、金属製の基体１に同じく金属製のフック部４を溶接する構造を採用しているから、非常に容易に製作できる。また、基体１も単に金属板をコ字状に折曲形成するだけで構成できるし、フック部４も金属杆をねじり形成するだけで構成できるから、前記取り付け作業が容易であることとも相侯って、本実施例の建築物工事用安全ネット吊り具を極めて容易に製作できることとなる。
　【００３２】
　持ち上げ棒体について説明する。
　【００３３】
　長尺棒体５は、前記フック部４を構成する金属杆の径幅よりもやや径大な内径を有する筒状体で構成し、この筒状体の基端部に握持部としてのグリップ９を被嵌固定し、先端部にラッパ状の筒体８を被嵌固定している。
　【００３４】
　係止部６は、図２に示すように前記筒体８先端部の対向側面に形成した凹部であって、この対向する夫々の係止部６にネット３の縁網を係止し得るように構成している。このように係止部６を対向状態に設けてネット３の縁網を二点で支持するから、ネット３の網縁を良好に係止できる。
　【００３５】
　係止部７は、前記係止部６を構成するいずれか一方の凹部と、前記長尺棒体５の先端孔とで構成したもので、図３に示すように筒体８の開口部から筒状の長尺棒体５の先端孔に前記フック部４の下方を向いた先端部を挿入係止すると共に、このフック部４の上部湾曲杵を前記いずれか一方の凹部（係止部６）に係止することにより、この建築物工事用安全ネット吊り具を水平状態に係止保持し得るように構成している、このように上方からフック部４を係止して二点で支持する構成としているから安定良く水平に係止保持できる。
　【００３６】
　従って、本実施例においては、パイプ材の基端部にグリップ９を被嵌すると共に、このパイプ材の先端部に先端の対向側面に凹部を有するラッパ状の筒体８を被嵌するだけで構成できるから、本実施例の持ち上げ棒体を極めて容易に製作できることとなる。
　【００３７】
　次に、操作方法を説明をする。
　【００３８】
　持ち上げ棒体の係止部６に前述のようにして建築物工事用安全ネット吊り具を係止し、持ち上げ棒体を持ち上げて横設角材２に上方からこの建築物工事用安全ネット吊り具を被嵌固定する。この際、前述のように係止部６に建築物工事用安全ネット吊り具を水平状態に安定良く係止できるため、この被嵌固定作業が容易に行われる。そしてこの作業を繰り返してネット３を張設したい構造物内の空間部に隣接する全ての横設角材２に適当数建築物工事用安全ネット吊り具を配置する。
　【００３９】
　続いて、持ち上げ棒体の係止部６にネット３の網縁を係止し、持ち上げ棒体を持ち上げてネット３の網縁を横設材２に被嵌した建築物工事用安全ネット吊り具のフック部４に係止する。この際、前述のように係止部６にネット３の網縁を良好に係止できるため、この係止したネット３の網縁をフック部４に係止する作業が容易に行われる。そしてこの作業を繰り返して横設材２に配置した複数の建築物工事用安全ネット吊り具のフック部４にネット３の網縁を次々と係止していき、図４に示すようにこの構造物内の空間部にネット３を吊り下げ状態に張設する。
　【００４０】
　【発明の効果】
　本発明は上述のように、基体を横設材に上方から被嵌し得る形状に形成しているから、この基体は単に横設材に上から嵌め込むだけで横設材に固定でき、また、この被嵌構造のためネットをフック部に係止すると、このネットの重さにより基体の係止方向に力が作用して横設材に対する係止が強固なものとなるし、ネット上に作業者や作業用工具などが落下しても同様に基体の係止方向に力が作用するため、横設材から基体が外れてしまうようなことがない。
　【００４１】
　従って、従来品に比して横設材に対する取り付け・取り外し作業性が著しく向上し、且つ基体の横設材に対する係止も強固であるなど極めて実用性に秀れた画期的な建築物工事用安全ネット吊り具となる。
　【００４２】
　また、単に基体を横設材に上方から被嵌し得る形状に形成してフック部を設けるだけの簡易な構成のため、製作容易でコストも掛からないなど秀れた構造の建築物工事用安全ネット吊り具となる。
　【００４３】
　また、請求項２記載の発明においては、基体を桁などの横設角材に上方から被嵌し得るコ字板形状に構成しているから、基体を単に横設角材に上から嵌め込むだけで、この基体が横設角材に対して確実に回り止め固定されるため基体の横設角材に対する固定強度が一層強固なものとなり、しかもこの基体の側部にフック部を設けているから、フック部が基体を横設角材に被嵌する際の邪魔になったりすることがなく、基体を横設角材に固定する際の作業性が一層良好となるなど秀れた構造の建築物工事用安全ネット吊り具となる。
　【００４４】
　また、単に板材をコ字状に折曲するだけで基体を構成できるため、一層製作容易となる。
　【００４５】
　また、請求項３記載の発明においては、基体の両側部に夫々フック部を設けているから、横設材に基体を被嵌すると、この横設材の両側にフック部を有するため、この一体の基体で横設材の両側の空間部にネットを係止できる実用性に秀れた構造の建築物工事用安全ネット吊り具となる。
　【００４６】
　また、請求項４記載の発明においては上述のように構成したから、持ち上げ棒体の先端の係止部にネットを係止して、この持ち上げ棒体を持ち上げ操作することによりこのネットを横設材に被嵌した建築物工事用ネット吊り具のフック部に係止することができる。
　【００４７】
　従って、ネットをフック部に係止する際に、作業者が横設材の損する高さ位置にまで上っていかずとも良いから、安全に作業を行えることとなる極めて実用性に秀れた建築物工事用安全ネット付設具となる。
　【００４８】
　また、同様にして係止部にネットの網縁を係止し、フック部からネットを取り外しすることもできるため、このネットの取り外し作業も安全に行えることとなる。
　【００４９】
　また、請求項５記載の発明においては上述のように構成したから、持ち上げ棒体の先端の係止部に請求項１〜３のいずれか１項に記載の建築物工事用ネット吊り具を係止して、この持ち上げ棒体を持ち上げ操作することにより横設材にこの建築物工事用ネット吊り具を被嵌固定することができ、続いて、持ち上げ棒体の先端の係止部にネットを係止して、この持ち上げ棒体を持ち上げ操作することによりこのネットを横設材に被嵌した建築物工事用ネット吊り具のフック部に係止することができる。
　【００５０】
　従って、横設材に建築物工事用ネット吊り具を被嵌固定する際並びにネットをフック部に係止する際に、作業者が横設材の存する高さ位置にまで上っていかずとも良いから、まだネットを張設していないところでの作業が不要となり、一層安全に作業を行えることとなる極めて実用性に秀れた画期的な建築物工事用ネット付設具となる。
　【００５１】
　また、同様にして係止部に請求項１〜３のいずれか１項に記載の建築物工事用ネット吊り具を係止して横設材から建築物工事用ネット吊り具を取り外しすることもできるし、係止部にネットの網縁を係止してフック部からネットを取り外しすることもできるため、この建築物工事用ネット吊り具並びにネットの取り外し作業も安全に行えることとなる。
　【００５２】
　また、特にネットを係止する係止部と建築物工事用ネット吊り具を係止する係止部とを一本の持ち上げ棒体に設けることにより、上記作業を一本の持ち上げ棒体で行うことができる非常に作業性に秀れた持ち上げ棒体に構成することもできる。
【図面の簡単な説明】
　【図１】
　本実施例の建築物工事用安全ネット吊り具を示す斜視図である。
　【図２】
　本実施例の持ち上げ棒体を示す説明斜視図である。
　【図３】
　本実施例の持ち上げ棒体の係止部に建築物工事用安全ネット吊り具を係止した状態を示す一部を切り欠いた概略説明図である。
　【図４】
　本実施例の建築物工事用安全ネット吊り具の使用状態を示す斜視図である。
　【符号の説明】
１　基体
２　横設材（横設角材）
３　ネット
４　フック部
５　長尺棒体
６　係止部
７　係止部